Podtech/llm-jp-corpus-v4-ja_patent huggingface dataset:
(57)【要約】【課題】  容易な装着が可能な留め具を備えたネックレスを提供することである。【解決手段】  チェーンと、チェーンの一方の端部に取り付けられた第１留め具と、チェーンの他方の端部に取り付けられた第２留め具とを備え、第１留め具が、リング状部材で形成され、第２留め具が、切欠き部が設けられたリング状部材と、バネによって切欠き部を閉鎖する方向に押しつけられた摺動片とを有し、摺動片をバネ力に抗して摺動させ切欠き部を開放して、切欠き部を通して第１留め具を第２留め具内に入れることによって連結されるようになっているネックレスにおいて、第１留め具のリング状部材の内側と第２留め具の摺動片の内側が、互いに異なる磁極が着磁された磁性材料で形成されていることを特徴とするネックレスが提供される。【選択図】  図１
0003141781.tif 000002
【実用新案登録請求の範囲】
【請求項１】
チェーンと、前記チェーンの一方の端部に取り付けられた第１留め具と、前記チェーンの他方の端部に取り付けられた第２留め具とを備え、前記第１留め具が、リング状部材で形成され、前記第２留め具が、切欠き部が設けられたリング状部材と、バネによって前記切欠き部を閉鎖する方向に押しつけられた摺動片とを有し、前記摺動片をバネ力に抗して摺動させ前記切欠き部を開放して、前記切欠き部を通して前記第１留め具を前記第２留め具内に入れることによって連結されるようになっているネックレスにおいて、
前記第１留め具のリング状部材の内側と前記第２留め具の前記摺動片の内側が、互いに異なる磁極が着磁された磁性材料で形成されていることを特徴とするネックレス。
【考案の詳細な説明】
【技術分野】
【０００１】
本考案は一般に、ネックレスに関する。より詳細には、本考案は、装着しやすい留め具を備えたネックレスに関する。
【背景技術】
【０００２】
ネックレスは通常、チェーンの端部に取り付けられた一対の留め具を互いに連結することによって装着される。
【考案の開示】
【考案が解決しようとする課題】
【０００３】
しかしながら、留め具の箇所が頸部の後側であり、留め具の連結時に留め具自体を目視せずに後ろ手で操作しなければならないため、ネックレスの装着が容易ではないという不都合があった。
【０００４】
本考案は、このような現状に鑑みて開発されたものであって、容易な装着が可能な留め具を備えたネックレスを提供することを目的としている。
【課題を解決するための手段】
【０００５】
本願請求項１に記載の、チェーンと、前記チェーンの一方の端部に取り付けられた第１留め具と、前記チェーンの他方の端部に取り付けられた第２留め具とを備え、前記第１留め具が、リング状部材で形成され、前記第２留め具が、切欠き部が設けられたリング状部材と、バネによって前記切欠き部を閉鎖する方向に押しつけられた摺動片とを有し、前記摺動片をバネ力に抗して摺動させ前記切欠き部を開放して、前記切欠き部を通して前記第１留め具を前記第２留め具内に入れることによって連結されるようになっているネックレスは、前記第１留め具のリング状部材の内側と前記第２留め具の前記摺動片の内側が、互いに異なる磁極が着磁された磁性材料で形成されていることを特徴とするものである。
【考案の効果】
【０００６】
本発明のネックレスによれば、装着時に、第１留め具のリング状部材の内側と第２留め具の摺動片の内側が引き合うため、目視をせずとも容易に装着することが可能である。
【考案を実施するための最良の形態】
【０００７】
次に図面を参照して、本考案の好ましい実施の形態に係るネックレスについて詳細に説明する。図１は、本考案の好ましい実施の形態に係るネックレスの一例を示した斜視図である。図１において全体として参照符号１０で示される本考案の好ましい実施の形態に係るネックレスは、チェーン１２と、チェーン１２の一方の端部に取り付けられた第１留め具１４と、チェーン１２の他方の端部に取り付けられた第２留め具１６とを備えている。
【０００８】
第１留め具１４は、リング状部材で形成されている。一方、第２留め具１６は、切欠き部１６ｂが設けられたリング状部材１６ａと、切欠き部１６ｂを閉鎖するための摺動片１６ｃとを有しており、摺動片１６ｃは通常、リング状部材１６ａの内部に収容されたバネ（図示せず）によって切欠き部１６ｂを閉鎖する方向に押しつけられている（図３（ａ）参照）。そして、摺動片１６ｃの摘まみ１６ｃ１を持ってバネ力に抗して摺動させると、切欠き部１６ｂを開放することができ（図３（ｂ）参照）、切欠き部１６ｂを通して第１留め具１４をリング状部材１６ａ内に入れることによって、留め具が連結されるようになっている。このような留め具の構成自体は、公知のものである。
【０００９】
第１留め具１４のリング状部材の内側Ａと第２留め具１６の摺動片１６ｃの内側Ｂには、互いに異なる磁極（一方がＮ極であれば他方がＳ極）が着磁された磁性材料で形成されている。これにより、第１留め具１４のリング状部材と第２留め具１６の摺動片１６ｃを接近させれば、互いに引き合うようになる。
【００１０】
以上のように構成された本考案の好ましい実施の形態に係るネックレスの使用法について説明する。まず第２留め具１６の摺動片１６ｃの摘まみ１６ｃ１を持ってバネ力に抗して摺動させ、切欠き部１６ｂを開放する（図４（ａ）参照）。そして、第１留め具１４を第２留め具１６の切欠き部１６ｂに接近させると、異極の磁性材料が形成されているため互いに引き合い、第１留め具１４を第２留め具１６内に容易に位置決めすることができる（図４（ｂ）参照）。しかる後、第２留め具１６の摺動片１６ｃの摘まみ１６ｃ１から手を離すと、バネ力により第２留め具１６の切欠き部１６ｂが閉鎖され（図４（ｃ）参照）、ネックレス１０の端部同士の連結が完了する。
【００１１】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【図面の簡単な説明】
【００１２】
【図１】本考案の好ましい実施の形態に係るネックレスの一例を示した斜視図である。
【図２】図１の部分２の拡大図である。
【図３】図１のネックレスの第１留め具および第２留め具を示した拡大図である。
【図４】図１のネックレスの使用法を示した一連の図である。
【符号の説明】
【００１３】
１０  ネックレス
１２  チェーン
１４  第１留め具
１６  第２留め具
１６ａ  リング状部材
１６ｂ  切欠き部
１６ｃ  摺動片
【図１】
0003141781.tif 000003
【図２】
0003141781.tif 000004
【図３】
0003141781.tif 000005
【図４】
0003141781.tif 000006
(57)【要約】      （修正有）【課題】手で把持部を把持すると共に、人差し指の第一関節辺りまでリング部に挿通させて、食物等の固形物を切断することができ安定した力を包丁刃体の刃先に加えることができる使い勝手が良い包丁を提供する。【解決手段】長手方向の一辺に刃先１ａを設けた包丁刃体１の刃体基部１ｂを挿通固定した把持部２とから成る包丁において、前記把持部２の先端の下方向に周端が前記刃先１ａより下方に突出しないリング部２ａを一体に成形したことを特徴とする。【選択図】図１
0003141704.tif 000002
【実用新案登録請求の範囲】
【請求項１】
長手方向の一辺に刃先を設けた包丁刃体の刃体基部を挿通固定した把持部とから成る包丁において、前記把持部の先端の下方向に周端が前記刃先より下方に突出しないリング部を一体に成形したことを特徴とする指掛けリング付き包丁。
【考案の詳細な説明】
【技術分野】
【０００１】
本考案は、指掛けリング付き包丁に関するものであり、更に詳細には、食材等の固形物を切断する際に安定して把持できる指掛けリング付き包丁に関するものである。
【背景技術】
【０００２】
従来、包丁は一般家庭、飲食店等において汎用されており、その種類や材質も多岐にわたって開発されて使用されており、夫々の生活や仕事に役立っている。
【０００３】
然し乍ら、一般的な包丁は金属製やセラミック製の包丁刃体の基部が合成樹脂製や木製の把持部に挿通固定しているものであり、固形物を切断する時は把持部を把持して刃先で切断するものであるが、柔らかいつもりで切断していても内部が思わぬ堅さを有していたり、また、不安定な状態の固形物を切断したりすると、把持部を把持していても刃先が左右に振れたりすることは誰もが経験していることであり、断面楕円形状や長円形状に形成されている把持部の握りは不安定なものである。
【０００４】
その為、例えば、先に開示された、切刃２の柄接合基部４１に、柄下端３１に沿って切っ先２２の方向に切刃面を抉る握り凹陥部５を設け、凹陥部５に指を掛けて包丁を握ることにより、切刃の重力部分を手で直接支持することができるようになり、重力のバランスが取れて包丁を軽く扱うことができるようにしたもの（特許文献１参照）や、刃身２を支持する把手３と刃身２の基端部２ａとの間に、把手３と同等幅を有し、かつ刃身２の刃先４側に刃身２の軸心方向Ｘ−Ｘと直角方向Ｙ−Ｙに指挿入部を有する介在片６が設けられてなるもの（特許文献２参照）、が開示されている。
【特許文献１】特開平１１−３１９３３８号公報
【特許文献２】実公平５−２５５７４号公報
【考案の開示】
【考案が解決しようとする課題】
【０００５】
然し乍ら、特許文献１記載のものは、切刃２の柄接合基部４１に柄下端３１に沿って切っ先２２の方向に切刃面を抉る握り凹陥部５を設けたものであるが、切刃面を抉っただけの握り凹陥部５では不安定であり、特許文献２記載のものは、指挿入部を有する介在片６が設けられてなるものであるが、介在片６は別部材であり、組立工程が複雑となる上に、第１図に図示されているように、刃先４より下方に突出していると切断時に指挿入部を有する介在片６が邪魔に成ると共に、刃先４の基端は使用できないものである。
【課題を解決するための手段】
【０００６】
前記課題に鑑み、鋭意研鑽の結果、長手方向の一辺に刃先を設けた包丁刃体の刃体基部を挿通固定した把持部とから成る包丁において、把持部の先端の下方向に周端が刃先より下方に突出しないリング部を一体に成形したものである。
【考案の効果】
【０００７】
本考案の指掛けリング付き包丁は、把持部の先端の下方向に周端が刃先より下方に突出しないリング部を一体に成形したことにより、手で把持部を把持すると共に、人差し指の第一関節辺りまでリング部に挿通させて、食物等の固形物を切断することができ安定した把持状態で安定した力を包丁刃体の刃先に加えることができるもので、使い勝手が良く、極めて有効的で実用性の高い考案である。
【考案を実施するための最良の形態】
【０００８】
以下、本考案の指掛けリング付き包丁の実施例の図面を用いて詳細に説明すると、図１は本考案の指掛けリング付き包丁の実施例の側面図である。
【０００９】
本考案は、指掛けリング付き包丁に関するものであり、更に詳細には、食材等の固形物を切断する際に安定して把持できる指掛けリング付き包丁に関するものであり、長手方向の一辺に刃先１ａを設けた包丁刃体１の刃体基部１ｂを挿通固定した把持部２とから成る包丁において、前記把持部２の先端の下方向に周端が前記刃先１ａより下方に突出しないリング部２ａを一体に成形したことを特徴とするものである。
【実施例】
【００１０】
即ち、本考案の指掛けリング付き包丁の包丁刃体１は、長手方向の一辺に食物等の固形物を切断するための鋭角にした刃先１ａを設けた包丁刃体１と、その包丁刃体１の基部に帯状に刃体基部１ｂを一体に延設させた金属製又はセラミック製から成るものである。
【００１１】
そして、把持部２はリング部２ａと硬質の合成樹脂製で一体に形成しているもので、把持部２の先端の下方向にリング部２ａの周端が刃先１ａより下方に突出しないように一体に成形したものである。
【００１２】
つまり、本考案の指掛けリング付き包丁の使用は、掌の親指の付け根辺りに把持部２の背部を当接し、親指を一側面に沿って下方に回すと共に、他の４本の指を他側面に沿って回し、更に、一側面まで回し、人指し指のみをリング部２ａに第一関節辺りまで挿通させるものである。
【００１３】
その状態で食材等の固形物を切断するものであり、包丁が左右にぐらつかないで垂直に切断するものであり、また、包丁を斜めにしたり、横のしたりしても手首を回動させることで好適に安定して使用できるものである。
【産業上の利用可能性】
【００１４】
本考案の指掛けリング付き包丁は、把持部の先端の下方向に周端が刃先より下方に突出しないリング部を一体に成形したことにより、手で把持部を把持すると共に、人差し指の第一関節辺りまでリング部に挿通させて、食材等の固形物を切断することができ安定した把持状態で安定した力を包丁刃体の刃先に加えることができる業務用又は一般家庭用の包丁を提供するものである。
【図面の簡単な説明】
【００１５】
【図１】図１は本考案の指掛けリング付き包丁の実施例の側面図である。
【符号の説明】
【００１６】
１      包丁刃体
１ａ    刃先
１ｂ    刃体基部
２      把持部
２ａ    リング部
【図１】
0003141704.tif 000003
(57)【要約】      （修正有）【課題】移動式トラッククレーン車のアウトリガーを利用した薪割り器具を提供する。【解決手段】移動式トラッククレーン車のアウトリガーに枠を吊着しシリンダにカッター刃３を楔着挿通したことを特徴とする薪割り器具である。【選択図】図６
0003141740.tif 000002
【実用新案登録請求の範囲】
【請求項１】
移動式トラッククレーンのアウトリガーに台形状の枠を吊着し、シリンダ下部にカッター刃を挿通楔着した薪割り器具。
【考案の詳細な説明】
【技術分野】
【０００１】
この考案は移動式トラッククレーンのアウトリガーに台形状の枠を吊着し、シリンダ下部にカッター刃を楔合挿通し移動先で薪割ができる薪割り器具に関するものである。
【背景技術】
【０００２】
従来、エンジン搭載の専用薪割り機械を伐採現場に持ち込むか、山林現場から薪を運んできてエンジン搭載の薪割り機又は電動式薪割り機で薪割りしていたが、大きい薪は大きさあった大型薪割り器が必要であった。
【考案の開示】
【考案が解決しようとする課題】
【０００３】
そのために次のような問題点があった。
伐採現場から薪を搬出し薪割りするか伐採現場に薪割り器を搬入し薪割りしていたが
搬出する時間と労力を必要とし、薪の大きさにあった薪割り器を必要とし大きな薪は
大型薪割り器の移動が困難で刃の回転や薪の回転ができず往復動作だけで大きい薪は
細断できなかった。本考案は以上の問題点を解決する為になされたものである。
【課題を解決するための手段】
【０００４】
移動式トラッククレーンのアウトリガーに台形の枠を吊着し、シリンダ下部にカッター刃を楔合挿通した１対の薪割り器具である。
【考案の効果】
【０００５】
移動式トラッククレーンのアウトリガー利用によりエンジン又は電気式薪割り器を必要とせず移動しやすく、アウトリガーのシリンダに楔合挿通したカッター刃のハンドルの回転により、薪の大小に関わらず移動式トラッククレーンによる移動裁断ができる。
【考案を実地するための最良の形態】
【０００６】
以下の考案の実地形態について説明する。
（イ） 
刃の上部に棒状のハンドル（１）とＬ型の締め付けボルト（２）を設ける。
（ロ） 
天板の（６）左支柱（７）右支柱（５）台板で台形状の枠を設ける。
（ハ） 
刃の上部と締め付けボルト（２）の隙間に楔合する楔を（４）設ける。
本発明は以上のような構成で、これを使用するときは（５）（６）（７）（８）で構成された台形状の枠を、移動式トラッククレーンのアウトリガー（１０）の上部に吊着し、油圧シリンダ下部に（９）の下部に（２）Ｌ型締め付けボルトと（４）楔で楔合挿通し台板の上に薪を置いて移動式トラッククレーンのアウトリガー（１０）の油圧シリンダ（９）を上下回転操作し薪を細断する。
【図面の簡単な説明】
【０００７】
【図１】本考案の刃の斜視図
【図２】本考案の刃の側面図
【図３】本考案の刃の正面図
【図４】本考案の枠の正面図
【図５】本考案の」枠の斜視図
【図６】本考案の枠と刃の取り付け図
【符号の説明】
【０００８】
１  ハンドル
２  Ｌ型締め付けボルト
３  刃
４  楔  
５  台板
６  天板
７  右支柱
８  左支柱
９  油圧シリンダ
１０アウトリガー
【図１】
0003141740.tif 000003
【図２】
0003141740.tif 000004
【図３】
0003141740.tif 000005
【図４】
0003141740.tif 000006
【図５】
0003141740.tif 000007
【図６】
0003141740.tif 000008
(57)【要約】      （修正有）【課題】特に病人や体の不自由な者の着替え等の介護を容易にし、病人や老人への体の負担を軽減する簡易脱着式のゆかたを提供する。【解決手段】後ろ身ごろに切り込みを入れて前身ごろの左右立褄とあわせ、二つのオープンファスナーで連結した。また、股の部分，胸の部分にオープンファスナーをつけたことにより、全開放でき脱着が容易になる。もう一点、胸のオープンファスナーと股のオープンファスナーの接合部分に間隔を空けることで点滴，尿採取のチューブ等が折れ曲がることなく通せるようにした。【選択図】図３
0003141733.tif 000002
【実用新案登録請求の範囲】
【請求項１】
後ろ身ごろに切り込みを入れて、前身ごろの左右の立褄と合わせ、ファスナーで噛合して接合し、胸の部分もファスナーで噛合して接合し、これらの接合部分の間に間隔を設けたことを特徴とする簡易脱着式ゆかた。                                          
【考案の詳細な説明】
【技術分野】
【０００１】
本考案は、特に病人や老人などの体の不自由な者の着替え等の介護を容易にし、病人や老人への体の負担を軽減するものである。
【背景技術】
【０００２】
従来、ゆかたは帯で留めるものが一般的である。例えば実開平７−３３９２６号公報で記載されているように、袖部分にファスナーをつけると上半身の脱着は容易になるが、下半身の脱着は困難なままである。ゆかたの裾がもちあがり、着くずれするため着心地が悪い。また、体の不自由な病人，老人が寝返りや体位交換を行う場合、点滴，尿採取用のチューブ等が折れ曲がり尿漏れ，点滴漏れなどの原因になる。
【特許文献１】実開平７−３３９２６号広報
【考案の開示】
【考案が解決しようとする課題】
【０００３】
従来のゆかたは、胴体を帯で留める形であるため、すぐに着くずれる上、裾がもちあがり、着心地がいいとは言い難い。また、寝間着は着くずれが少ないが、脱着時に病人や老人などへの体の負担が大きく、介護の上でも肉体的に困難である。
そこで、本考案は体の不自由な病人，老人の着替え及び介護を容易にするゆかたを提供することを課題としている。また、最近着ることが少なくなったゆかたを利用することにより、リサイクル，リユースになる。従来のゆかたの利点である吸汗，通気性を生かしつつ、脱着が簡単で着心地がよい簡易脱着式ゆかたである。
【課題を解決するための手段】
【０００４】
本考案においては、上記課題を解決するため、後ろ身ごろに切り込みを入れて、前身ごろの左右立褄と合わせ、二つのオープンファスナーで噛合し接合した。また、股の部分，胸の部分にオープンファスナーをつけたことにより、全開放でき脱着が容易になる。
もう一点、胸のオープンファスナー接合部分と股のオープンファスナー接合部分との間には間隔が設けられており、この間隔に点滴，尿採取のチューブ等が折れ曲がることなく通せるようにしたものである。
【考案の効果】
【０００５】
本考案による簡易脱着式ゆかたは、オープンファスナーにより股、胸部分を全開閉することができるようにしたので、病人、老人は横になったまま、体に負担をかけずに脱着でき、介護者，看護者は一人でも簡単に脱着させることができるようになった。また、オープンファスナーの接合部分に間隔を設けたことにより、点滴，尿採取用のチューブ等が折れ曲がることなく通せるため、病人，老人は寝返り，体位交換などの動作が容易になる。
簡易脱着式ゆかたは、病人，老人を座らせて着替えさせるのではなく、楽に横になったまま着替えをさせることができる。座位のできない者や寝たきり者には体の負担が少なく、介護者，看護者への負担も大幅に軽減することができる。
【考案を実施するための最良の形態】
【０００６】
本考案による簡易脱着式浴衣について図面により詳細に説明する。図１は本考案の最良の形態を示す正面図、図２はその背面図、図３はオープンファスナーを噛合し接合した状態を示す正面図である。図１および図２において、１は簡易式脱着式ゆかたで、該簡易脱着式ゆかた１は前身ごろ２と後ろ身ごろ３とからなる。前身ごろ２の立褄下部にオープンファスナー４（４１）が縫い付けられており、後ろ身ごろ３の背縫い５下部に切り込み６をいれ、上記前身ごろ２のオープンファスナー４（４１）に対向して後ろ身ごろ３の切り込み６にオープンファスナー４（４２）が縫い付けられている。これらのオープンファスナー４１と４２は互いに噛合して接合されるものである。このように接合することにより、図３に示すように簡易脱着式ゆかた１の股部分がズボン形式となり、簡易脱着式ゆかた１の裾７がもち上がることなく、着くずれにくくなる。また、同図が示すように該裾７にゴムあるいはひもを通し、裾７の幅を調節できるようにすれば、より効果的である。  
【０００７】
また、前身ごろ２の立褄上部には上記オープンファスナー４（４１）の端部より間隔Ｓを設け、襟の中程までオープンファスナー４（４３）が同様にして左右対向して縫い付けられている。これら胸のオープンファスナー４３接合部分と股のオープンファスナー４１，４２接合部分との間に間隔Ｓをつくることにより、そこから点滴，尿採取チューブ等を無理なく通すことができる。上記間隔Ｓは７〜１０cm程設けることが望ましい。この間隔Ｓを設けることにより、病人，老人等の介護，看護のための点滴あるいは尿採取等のチューブを折れ曲がることなく通せるため、寝返りや体位交換等の動作，作業が容易となるものである。
【０００８】
次に図３は上記オープンファスナー４（４１，４２，４３）を噛合し接合した状態を示すものであるが、同図に示すように各オープンファスナー４１，４２，４３を互いに噛合すると、作業着のつなぎ状となり、着くずれることなく暖かく、しかも介護、看護に容易な簡易脱着式ゆかた１を提供できるものである。
【０００９】
上記実施例では、股，胸部分の接合をオープンファスナーで接合したものを示したが、面ファスナー，ボタン，ホック等で接合しても良いことは言うまでもない。
【図面の簡単な説明】
【００１０】
【図１】本考案による簡易脱着式ゆかたの最良の形態を示す正面図である。
【図２】本考案による背面図である。
【図３】本考案による簡易脱着式ゆかたのオープンファスナーを接合した状態を示す正面図である。
【符号の説明】
【００１１】
１    簡易脱着式ゆかた
２    前身ごろ
３    後ろ身ごろ
４，４１，４２，４３    オープンファスナー      
５    背縫い
６    切り込み
７    裾
Ｓ    間隔
【図１】
0003141733.tif 000003
【図２】
0003141733.tif 000004
【図３】
0003141733.tif 000005
(57)【要約】      （修正有）【課題】使用に便利で安価な着色舗装骨材を提供する。【解決手段】着色骨材を骨材生産工場に於いて粒度調整を行ってフレコンバッグに所定の量を填充し供給する。少量の補修用混合物は、アスファルトプラントで剥離防止結合材を使用した着色舗装用混合物を製造し、混練温度で熱湯に投入し、骨材に結合材が被覆されているが、骨材同士は付着していないアスファルト被覆骨材をフレコンバッグに填充して保管しておき、使用する際は、現場加熱を行い着色舗装を行う。【選択図】図２
0003141798.tif 000002
【実用新案登録請求の範囲】
【請求項１】
着色舗装用混合物の骨材を材質及び粒度を調整し、フレコンバックに填充して供給することを特徴とする着色舗装用骨材。
【請求項２】
着色骨材を結合材で被覆した請求項１の骨材
【考案の詳細な説明】
【技術分野】
【０００１】  本考案は、着色舗装の生産管理を容易にするために、着色骨材を事前に粒度を調整してバッグ単位で管理する着色舗装道路に関するものである。【０００２】  この明細書で「着色舗装」とは、社団法人  日本道路協会発行「舗装施工便覧」１９６頁に記載されている色彩機能を発揮させるための舗装を言う。
色彩舗装は、通学路、交差点、バスレーンなど使用され、バスレーンは施工面積が広く、耐久性が求められるため、色彩の明確な赤系の骨材、主としてチャートが用いられている。
【背景技術】
【０００３】  着色舗装にはベンガラ等の顔料を使用するものと着色骨材を使用するものがある。着色骨材は耐久性があるので交通が過酷なバスレーンに使用されている。従来アスファルト混合物は粒度毎に計量して乾燥機に供給するために粒度毎に貯蔵ビンで管理されている。しかし、着色舗装は、一般舗装に比べ施工量が僅少なために、骨材の管理が困難であることから高価になる。【０００４】  また、補修などの場合には、供給が困難になることから、通常の混合物で舗装で行われ、色彩舗装の機能が失われる。
【考案の開示】
【考案が解決しようとする課題】
【０００５】  着色舗装は、着色骨材用の貯蔵ビンを設けなければならないなど混合物の生産管理が困難になり、結果的に高価になる。補修等ではこの現象が極端なことから、着色舗装に一般の黒い混合物が使用される。
【課題を解決するための手段】
【０００６】  本考案は、着色骨材を骨材生産工場に於いて一般骨材と着色骨材の配合割合及び粒度調整を行ってフレコンバッグに所定の量を填充し、供給する。【０００７】  少量の補修用混合物の場合には、アスファルトプラントで着色舗装用混合物を製造し、混練温度で熱湯に投入し、混合物を分離させる。結合材で被覆された分離骨材をフレコンバッグに填充し、供給する。使用する際は、使用する際は現場加熱を行い、着色舗装を舗設する。
【考案の効果】
【０００８】  以上のように、請求項１記載の考案の方法によれば、着色骨材用貯蔵ビンを設けることなく着色舗装用混合物を製造することが出来る。【０００９】  着色骨材など特殊な材料の組み合わせの混合物製造には、設計以上の材料が必要である。しかし、請求項１の方法では、骨材の使用に無駄がなく、少量でも品質が一定の混合物が製造できる【００１０】  着色舗装の補修は、混合物の使用が極端に少なくなるので、一般の黒いアスファルト混合物で行っているが、請求項２の方法によれば、事前にアスファルトを被覆した着色骨材を製造しておき、使用するときには、フレコンバッグ単位で補修することが出来る。アスファルト被覆着色骨材は、結合材を選択した製造者が品質管理を行うので、高い品質の舗装が出来る。フレコンバッグは２０Ｋｇ単位で製造することも出来る。
【考案を実施するための最良の形態】
【００１１】  本考案の着色骨材は、砕石現場で粒度調整を行うので、原石を無駄なく使用できる。フレコンバッグには、要望に応じて２０Ｋｇから１，０００Ｋｇまで骨材を填充できる。
アスファルト被覆着色骨材は、アスファルトプラントに於いて、舗装の機能、骨材の性質、石粉に対応した結合材を使用して専門的に設計して責任のある混合物を製造できるので、使用者安心して使用できる。【００１２】  以下に実施例１を示すと、砕石工場に於いて、原石から６号砕石７９．４％、粗砂１５．６％を製造し、図１のフレコンバッグに、図２の骨材を填充する。【００１３】  アスファルトプラントでは、フレコンバッグから骨材を加熱装置に投入し、所定の温度になるように加熱、混合機に投入し、５％石粉と混練し、加熱混合物を製造する。加熱混合物はトラックで輸送され道路舗装用として使用される。【００１４】  補修用の混合物を実施例２で示す。補修用混合物は、剥離防止結合材を使用したアスファルト混合物を熱湯に投入して混合物を分離する。温度が下がったなら、水分を除去し、図３の状態にする。図１のフレコンバッグに、図３の骨材を填充する。【００１５】  使用するときには、使用現場付近でフレコンバッグから被覆着色骨材を出して加熱し、作業粘度に達した時点で補修用として使用する。
【図面の簡単な説明】
【００１６】
【図１】フレコンバッグの外観図
【図２】粒度調整した着色骨材
【図３】分離した被覆着色骨材
【符号の説明】
【００１７】  １  フレコンバッグ本体
２  吊り下げバンド
３  粒度調整着色骨材
３ａ  着色粗骨材
３ｂ  着色細骨材
４  粒度調整被覆着色粗骨材
５ａ  剥離防止結合材被覆着色粗骨材
５ｂ  剥離防止結合材被覆着色細骨材
【図１】
0003141798.tif 000003
【図２】
0003141798.tif 000004
【図３】
0003141798.tif 000005
(57)【要約】      （修正有）【課題】ビニールパイプとスプリングを使用し、金額を安くした。【解決手段】Ｌ字型パイプにスプリングをアルミ線でとりつけた構造を有するフロわかし器。ビニールパイプは鉄管でも銅管でもかまわない。スプリングはガス湯わかし器に固定するものである。【選択図】図１
0003141796.tif 000002
【実用新案登録請求の範囲】
おふろの水が上が良くあたたまり、下があたたまりにくい。
これを平均にあたたまるようにした。
ビニールパイプとスプリングを使って、金額を安くした。
【考案の詳細な説明】
おふろの水を平均にあたためた。
【図１】
0003141796.tif 000003
【図２】
0003141796.tif 000004
【図３】
0003141796.tif 000005
【手続補正書】
【提出日】平成18年6月20日(2006.6.20)
【手続補正１】
【補正対象書類名】実用新案登録請求の範囲
【補正対象項目名】全文
【補正方法】変更
【補正の内容】
【実用新案登録請求の範囲】
【請求項１】
風呂の温度を均一に沸かす物である。
【手続補正２】
【補正対象書類名】明細書
【補正対象項目名】全文
【補正方法】変更
【補正の内容】
【考案の詳細な説明】
【考案が解決しようとする課題】
【０００１】風呂の温度を均一に沸かす。
【考案の効果】
【０００２】非常にうまくいった。
【産業上の利用可能性】
【０００３】非常に有望である。
【図面の簡単な説明】
【図１】平面図
【図２】立面図
【図３】側面図
【手続補正書】
【提出日】平成18年10月11日(2006.10.11)
【手続補正１】
【補正対象書類名】実用新案登録請求の範囲
【補正対象項目名】全文
【補正方法】変更
【補正の内容】
【実用新案登録請求の範囲】
【請求項１】
エルボのパイプにスプリングを取付けた物品名。
【手続補正２】
【補正対象書類名】図面
【補正対象項目名】全図
【補正方法】変更
【補正の内容】
【図１】
0003141796.tif 000006
【図２】
0003141796.tif 000007
【図３】
0003141796.tif 000008
【図４】
0003141796.tif 000009
【図５】
0003141796.tif 000010
【手続補正書】
【提出日】平成19年3月13日(2007.3.13)
【手続補正１】
【補正対象書類名】実用新案登録請求の範囲
【補正の内容】
0003141796.tif 000011
0003141796.tif 000012
【手続補正書】
【提出日】平成19年5月31日(2007.5.31)
【手続補正１】
【補正対象書類名】実用新案登録請求の範囲
【補正対象項目名】全文
【補正方法】変更
【補正の内容】
【実用新案登録請求の範囲】
【請求項１】
Ｌ字型パイプにスプリングをアルミ線で巻きつけた。
アルミ線は巻きつけたあとにハンダ付してとめること。
【手続補正３】
【補正対象書類名】図面
【補正対象項目名】全図
【補正方法】変更
【補正の内容】
【図１】
0003141796.tif 000013
【図２】
0003141796.tif 000014
【図３】
0003141796.tif 000015
【手続補正書】
【提出日】平成19年8月20日(2007.8.20)
【手続補正１】
【補正対象書類名】実用新案登録請求の範囲
【補正の内容】
0003141796.tif 000016
0003141796.tif 000017
【手続補正書】
【提出日】平成19年10月24日(2007.10.24)
【手続補正１】
【補正対象書類名】実用新案登録請求の範囲
【補正対象項目名】全文
【補正方法】変更
【補正の内容】
【実用新案登録請求の範囲】
【請求項１】
Ｌ字型パイプにスプリングをアルミ線でとりつけた。
【手続補正２】
【補正対象書類名】手続補正書
【補正対象項目名】手続補正２
【補正方法】変更
【補正の内容】
【手続補正２】
【補正対象書類名】図面
【補正対象項目名】全図
【補正方法】変更
【補正の内容】
【図１】
0003141796.tif 000018
【図２】
0003141796.tif 000019
【図３】
0003141796.tif 000020
【手続補正書】
【提出日】平成20年1月8日(2008.1.8)
【手続補正１】
【補正対象書類名】実用新案登録請求の範囲
【補正対象項目名】全文
【補正方法】変更
【補正の内容】
【実用新案登録請求の範囲】
【請求項１】
Ｌ字型パイプにスプリングをアルミ線でとりつけた構造を有するフロわかし器
【手続補正書】
【提出日】平成20年3月18日(2008.3.18)
【手続補正１】
【補正対象書類名】実用新案登録請求の範囲
【補正対象項目名】全文
【補正方法】変更
【補正の内容】
【実用新案登録請求の範囲】
【請求項１】
Ｌ字型パイプにスプリングをアルミ線でとりつけた構造を有するフロわかし器。
(57)【要約】      （修正有）【課題】ポーラスアスファルト混合物の目詰まりを防止し多くの機能性が維持され、修復と防氷剤の散布に費用がかからない。【解決手段】ポーラスアスファルト混合物の下層にグル―ビングを設けて浸透水を集め、粉塵や塩分等の沈殿を防止し、雨水等を路肩や路側に誘導して多くの機能を維持する。【選択図】図２
0003141799.tif 000002
【実用新案登録請求の範囲】
【請求項１】
機能性舗装用ポーラス混合物をグル―ビングした下層の上に舗設することを特徴とする舗装構造
【請求項２】
下層のグル―ビングは、溝幅が機能性舗装用混合物骨材が陥入しない幅以下、深さは侵透水の粉塵が滞留しない溝幅以上、グル―ビングの中心間隔が機能性舗装厚さ以下である請求項１の構造
【考案の詳細な説明】
【技術分野】
【０００１】  本考案は、機能性舗装道路の構造に関するものである。【０００２】  この明細書で「機能性舗装道路」とは、社団法人  日本道路協会発行「舗装施工便覧」１８８頁に記載されている排水機能、騒音低減機能、すべり止め機能、凍結抑制機能、路面温度上昇抑制機能を有する舗装道路を言う。
機能性舗装は、表層にポーラスアスファルト混合物を舗設し、騒音、滑り抵抗、通気性、雨水等を混合物の空隙に浸透させて機能を発揮する。排水性の場合は路側あるいは路肩等に排水し、ハイドロプレーニング現象や水しぶきの発生を抑制し、安全な交通を確保するために施工する。
【背景技術】
【０００３】  機能性舗装は、表層にポーラスアスファルト混合物を舗設し、排水性舗装の場合には雨水等を路側や路肩に排水するが、車両交通により粉塵等が持ち込まれポーラスアスファルト混合物の底部に沈殿堆積して空隙に目詰まりが起こり、機能が失われ、回復のために多額の費用を費やしている。【０００４】  また、沈殿部に防氷剤が残留するために、舗装の温度が低下し、防氷剤の散布量が多くなる。
【考案の開示】
【考案が解決しようとする課題】
【０００５】  ポーラスアスファルト混合物の目詰まりが起きると機能性が失われ、修復に多大な費用が必要である。また、継続散布防氷剤の散布量が多くなる。
【課題を解決するための手段】
【０００６】  本考案は、路面の雨水等がポーラスアスファルト混合物の底部に着くと流速が遅くなり、粉塵等が混入している雨水の粉塵を残留するので、堆積厚さが徐々に増えて目詰まりが多くなることに着目し、下層にグル―ビングを設けて浸透水を集め、流速の低下を防ぎ、粉塵や塩分等が沈殿することなく、雨水等を路肩や路側に誘導し、目詰まりを防ぎ多くの機能性を維持する。
【考案の効果】
【０００７】  以上のように、請求項１記載の考案の方法によれば、粉塵や塩分等がポーラスアスファルト混合物中に沈殿することなく排水できるので、目詰まりが少なくなり機能性が持続できる。【０００８】  ポーラスアスファルト混合物を使用した機能性舗装を定期的に洗浄すると、粉塵等を混入した洗浄水はグル―ビングに集水されるので、目詰まりが少なくなり、防氷剤もポーラスアスファルト混合物中に残留する量が少なくなるので、防氷剤の散布量が増えることはない。また、この舗装構造にすると機能の点検できるので、洗浄時期判定の指針にもなる。
【考案を実施するための最良の形態】
【０００９】  本考案の舗装構造は、機能性舗装の下層に請求項２のグル―ビングを設け、その後通常の方法でポーラスアスファルト混合物を舗設する。路肩には透水性排水管を設けると更に効率よく運用できる。
【図面の簡単な説明】
【００１０】
【図１】舗装構造図
【図２】グル―ビング構造図
【符号の説明】
【００１１】  １  舗装断面
２  機能性ポーラスアスファルト混合物
３  グル―ビングを施工した下層
４  グル―ビング
４ａ  溝幅
４ｂ  溝深さ
４ｃ  グル―ビング中心間隔
５  透水性排水管
【図１】
0003141799.tif 000003
【図２】
0003141799.tif 000004
(57)【要約】      （修正有）【課題】小物食品等の収納機能をも備え、弁当ケースやランチボックス等において区分けするように用いる実用性に優れるバランを提供する。【解決手段】２枚の面体３、４の合わせ構造で、それぞれの面体３、４は下縁部で互いに連続し、かつ、それぞれの面体３、４間を食品Ｓの収納スペース７とすることを特徴とするバラン。【選択図】図１
0003141934.tif 000002
【実用新案登録請求の範囲】
【請求項１】
２枚の面体の合わせ構造で、それぞれの面体は下縁部で互いに連続し、かつ、それぞれの面体間を食品の収納スペースとすることを特徴とするバラン。
【考案の詳細な説明】
【技術分野】
【０００１】  この考案は、弁当箱内等において食品を区分けするように用いるバランの改良に関する。
【背景技術】
【０００２】  弁当箱内等においては、おかずやご飯を区分けするようにプラスチックフィルム等よりなる、例えば緑色のバランを用いる。このバランは区分けすることで食品を整然と納めることができるようにするとともに、食品間において味が移ることを防ぎ、さらに、デザイン的な効力も奏する。
【考案の開示】
【考案が解決しようとする課題】
【０００３】  この考案では、小物食品等の収納機能をも備える実用性に優れるバランを提供することを目的とする。【０００４】  この考案では、２枚の面体の合わせ構造で、それぞれの面体は下縁部で互いに連続し、かつ、それぞれの面体間を食品の収納スペースとすることを特徴とするバランを提供する。【０００５】  この考案のバランによれば、従来のバランと同様に区分けすることで食品を整然と納めることができ、食品間において味が移ることを防ぐとともに、デザイン的な効力を奏する。さらに、その収納スペースに各種の小物食品を納めることができる。とくに、厚みの無い状態においてメインの食品間に従来のバランと同様に配置でき、必要に応じてその収納スペースに小物食品を納めることができるので、非常に便利に使用できる。従来においては、例えば、小さなカップを使用しそれに小物食品を納めるようにしていたが、カップの場合には平面状の底部を有するのでそのカップ自身の配置スペースを確保する必要があり、その配置が難しく、また、メインの食品を納めた後に小物食品を納めるようなことができなかった。【０００６】  収納スペースは、その下部が閉じているのでそこに納められる食品が弁当箱等の底面に直接触れることがなくて弁当箱等を汚すことがないとともに、収納スペース内食品からの外部への汁の流れ出しも抑制される。【０００７】  この考案のバランは合成樹脂や紙等の各種のシートやフィルムにより製造可能であり、特にポリプロピレン樹脂等の樹脂フィルムを使用することで強固で食品の汁等が滲むことのないものが得られる。また、使用場所に対応した種々の模様や色が付されることでデザイン性の高いものが得られる。また、この考案のバランは全体が実施形態のもののように１枚のシートやフィルムより構成されてもよく、また、複数枚のものから構成されてもよい。【０００８】  この考案のバランは、弁当ケースやランチボックス内、パーティ用トレイ上等において使用できる。
【考案の効果】
【０００９】  この考案によれば、従来のバランと同様に食品の区分け機能を発揮するとともに、自身に小物食品も収納できる実用性に優れるバランが得られる。
【考案を実施するための最良の形態】
【００１０】  図１はこの考案のバランの実施形態の外観斜視図、図２は同展開図、図３は同食品を収納しない場合と収納した場合の断面図、図４は部分拡大断面図である。【００１１】  バラン１は、図２に示す１枚のポリプロピレン樹脂製のフィルム２よりなり、そのフィルム２が長手方向における中間位置でそれぞれの一点鎖線で示す折り曲げ位置ａ、ｂ、ｃにおいて折り畳み形態に折り曲げられ、両側縁部が点線位置ｄ、ｅで熱溶着されることで一体に形成されている。上記の折り曲げは、図３（Ａ）に示すように、中央の折り曲げ位置ｂにおける折り曲げによりその両側部分５を上方に折り畳むように行われる。【００１２】  このようにして、バラン１は表側の面体３と裏側の面体４とが合わせ構造で、それら面体３、４の下縁部と両側縁部とはともに互いが連続し、面体３、４それぞれの間には食品の収納スペース７が形成されている。【００１３】  フィルム２は、図４に示すように、表面に模様８が印刷された一方のフィルム２ａ上に他方のフィルム２ｂが貼り付けられて構成されており、このようにして使用に際して食品に模様８が直接触れない構成とされている。【００１４】  上記バラン１は子供のお弁当ケースやランチボックス内、さらに、子供パーティで使用されるトレイ上等において用いられ、その際には、まず従来のバランと同様におかずやごはん、また、サンドイッチや生野菜等の食品の区分け機能を果たすとともに、食品間の味移りを防ぎ、また、楽しい模様８を持つことでデザイン性を高める。【００１５】  さらに、必要に応じては、その収納スペース７に生姜や昆布や煮物、さらに野菜やポテトチップやデザート等の小物の食品を納めるように用いられる。その際には、図３（Ｂ）に示すように、下部の折り畳んだ両側部分５を食品Ｓの収納量に応じて開く。バラン１はメインの食品を並べる際にそれらを区分けするように収納スペース７を閉じた状態で配置し、その後収納スペース７を所望の巾開くようにしてそこに食品を納めることで便利に使用できる。【００１６】  図５、図６はバラン１の他の実施形態を示し、このものは下部に上記の実施形態のものにおける折り畳み部を備えず、収納スペース７があまり大きく開かない構成とされている。また、このものでは上部の突出部１０をそれぞれの面体３、４において異なった位置に設けており、これにより面体３、４それぞれが密着している際にも面体３、４それぞれの突出部１０を持つことで収納スペース７を容易に開くことができる構成としている。
【図面の簡単な説明】
【００１７】
【図１】  この考案のバランの実施形態の外観斜視図
【図２】  この考案のバランの実施形態の展開図
【図３】  この考案のバランの実施形態の食品非収納時と食品収納時の断面図
【図４】  この考案のバランの部分拡大断面図
【図５】  この考案のバランの他の実施形態の外観斜視図
【図６】  この考案のバランの他の実施形態の展開図
【符号の説明】
【００１８】１  バラン
３  面体
４  面体
７  収納スペース
Ｓ  食品
【図１】
0003141934.tif 000003
【図２】
0003141934.tif 000004
【図３】
0003141934.tif 000005
【図４】
0003141934.tif 000006
【図５】
0003141934.tif 000007
【図６】
0003141934.tif 000008
(57)【要約】      （修正有）【課題】光の反射を強めるとともに、蓄光による発光量をあげることにより、注意喚起力の高いアームバンドを提供する。【解決手段】従来の反射バンドに対して、光の反射をより強めるために再帰反射機能部材を具備するとともに、再帰反射機能部材の表面に平板形状バンドの中央部分に連続して帯状に蓄光部材を具備し、該蓄光材料の面積を連続で大きくするとともに、腕または足首に容易に捲きつく構造の蓄光による発光と光の再帰反射との両機能を有するとともに、蓄光部材の面積を大きく確保する構造とする。【選択図】図１
0003141936.tif 000002
【実用新案登録請求の範囲】
【請求項１】
光を効率的に反射する再帰反射機能部材を具備した平板形状バンドの中央部分の表面に連続して帯状に蓄光部材を具備し、該蓄光部材の面積を連続で大きくするとともに、腕または足首に容易に捲きつく構造の蓄光による発光と光の再帰反射との両機能を有したことを特徴としたリストバンド。
【請求項２】
前記平板形状バンドの中央部分に連続して帯状に形成した蓄光部材の帯幅は、前記リストバンド幅の略三分の一以上としたことを特徴とした請求項１記載の腕または足首に容易に捲きつく構造の蓄光による発光と光の再帰反射の両機能を有したリストバンド。
【請求項３】
前記再帰反射機能部材は、前記平板形状バンド表面全面に構成するとともに、前記再帰反射機能部材上の中央部分に連続して帯状に蓄光部材を構成したことを特徴とした請求項１記載の腕または足首に容易に捲きつく構造の蓄光による発光と光の再帰反射の両機能を有したリストバンド。
【考案の詳細な説明】
【技術分野】
【０００１】  本考案は、腕または足に巻きつけられるようにしたリストバンドで、夜間の車や自転車のライトがあたった時に前記リストバンドから光を反射して運転者に注意を喚起して、歩行者または自転車走行者の安全を確保するとともに、暗闇でも蓄光材料からの発光で、歩行者または、自転車通行者の存在を知らせて安全を確保するためのリストバンドに関するものである。
【背景技術】
【０００２】  従来例の一例として、自転車の利用者、歩行者、道路上での作業者などは、夜間では、いたる所で車の往来があり、常に危険にさらされている状況の中で、夜間に目立つ工夫として、反射ベルトの提案（実用新案登録２５７１６１１号公報、実用新案登録２５７０２７２号公報、実用新案登録３０７４５６９号公報）があり、また光るアームバンド（商品名）として再帰反射材料を用い、かつ３個程度の小さな星状の発光材料を有したものもある。
【考案の開示】
【考案が解決しようとする課題】
【０００３】  しかしながら、前記のような従来の反射バンドでは、夜間に目立つ工夫としては十分とは言い難い。また、前記光るアームバンドも光の反射に対して再帰反射材料を用いて目立つ工夫はされているものの、暗闇での発光に対しては、発光部材の面積が非常に小さく、発光による視認性効果は期待できない。本考案は、従来の反射バンドに対して光の反射を強めるとともに、暗闇でも蓄光による発光量をあげることにより、夜間車の右折、左折時の運転者の目につきやすく、より強く注意喚起ができるようにすることを目的とする。
【課題を解決するための手段】
【０００４】  本考案は、上記従来の課題を解決するためになされたものであり、従来の反射バンドに対して、光を効率的に反射する再帰反射機能部材を具備した平板状バンドの中央部分に連続して帯状に蓄光部材を具備し、該蓄光材料の面積を連続で大きくするとともに、腕または足首に容易に捲きつく構造の蓄光による発光と光の再帰反射との両機能を有するとともに、蓄光部材の面積を大きく確保する構造としたことを特徴としたリストバンド。
【考案の効果】
【０００５】  本考案によれば、簡単な構成のリストバンドでありながら、再帰反射機能部材による光の反射効果が高められて視認性が向上するとともに、蓄光部材を具備し、該蓄光部材の面積を連続で大きくし、更にこの蓄光部材を再帰反射機能部材の表面に構成したので、この再帰反射機能部材からの光の反射による蓄光効果が増大し、蓄光部材からの発光が高まり暗闇においても視認性が大幅に向上し、本考案のリストバンドをつけた歩行者、自転車走行者の安全確保の向上をはかることができる。
【考案を実施するための最良の形態】
【０００６】  本考案の一実施形態を図１、図２に示す。図１は本考案のリストバンドの平面図であり、図２は本考案のリストバンドの短手方向断面図を示す。図１で再帰反射機能部材１は、塩化ビニルまたはポリオレフィン等のシート部材の一方の面に例えばプリズムを形成するように加工したものである。図２に示すように再帰反射機能部材１にプリズムの反対面から光線が入射すると再帰反射光線５が出力される。
図１で蓄光部材２は入射光線のエネルギーを蓄積して発光する部材であり、２００ルックスの光を２０分照射することにより、１０００ミリカンデラ／ｍ２程度の輝度が得られている。この蓄光部材２のトータルの高い発光機能を発揮するには蓄光面積が大きいほど有利となるが、大きくしすぎるとコストが高くなるという欠点がある。本考案では前記蓄光部材２は図１に示したように、前記再帰反射機能部材２を具備した平板形状バンドの中央部分の表面に連続して帯状に蓄光部材２を配設し、該蓄光部材２の面積をリストバンド幅の略三分の一以上と大きくするとともにリストバンドの長さいっぱいの連続した帯状構成として、蓄光部材２からの発光を高めるように構成している。また、この蓄光部材２は図２に示したように、再帰反射機能部材１の表面に構成するようにしたので、光線が蓄光部材２を透過した光線は再帰反射光線６として蓄光部材２に再照射され、蓄光効果をより高めるように作用する。
金属薄板３は、図示しないが弾性を有したもので構成するとともに、短手の幅方向に僅かな撓みを持たせた構造とすることにより、腕や足首に容易に捲きつくようにした構造のものである。
袋状部材４は、金属薄板３を保持するとともに、併せて再帰反射機能部材１及び蓄光部材２を保持することにより、全体でリストバンドを構成している。この袋状部材４の材質は、再帰反射機能部材１と同じでよいが、リストバンドとして堅牢性を持たせるために再帰反射機能部材１の厚みより少し厚くした方がよい。
「実施形態の効果」【０００７】  本考案によれば、簡単な構成のリストバンドでありながら、再帰反射機能部材による光の反射効果が高められて視認性が向上するとともに、蓄光部材を具備し、該蓄光部材の面積を連続で大きくし、更にこの蓄光部材を再帰反射機能部材の表面に構成したので、この再帰反射機能部材からの光の反射による蓄光効果も高まるようにしたので蓄光部材からの発光が高まり暗闇においても視認性が大幅に向上し、本考案のリストバンドをつけた歩行者、自転車走行者の安全確保の向上をはかることができる。
【図面の簡単な説明】
【０００８】
【図１】この発明の一実施形態を示すリストバンドの平面図である。
【図２】この発明の一実施形態を示すリストバンドの短手方向断面図である。
【符号の説明】
【０００９】  １  再帰反射機能部材    ２  蓄光部材    ３  金属薄板
４  袋状部材    ５  再帰反射光線
６  再帰反射光線
【図１】
0003141936.tif 000003
【図２】
0003141936.tif 000004